(57)【特許請求の範囲】
【請求項１】
所定値よりも高い圧力によって開放されるスリットを有するスリットバルブと、このスリットバルブを導入する開口を有し該スリットバルブを容器本体の口部に取り付けるためのキャップ本体と、このキャップ本体にスリットバルブを保持するためのスリットバルブ保持部材とを有するスリットバルブ構造体において、
前記スリットバルブは、スリットを全周にわたって包囲するストレートな形状の内壁を有し、
前記キャップ本体の開口は、スリットバルブを導入したときに当該スリットバルブを全周にわたって包囲する形状であって、
更に、前記キャップ本体は、その開口の端縁から当該開口の内壁に沿って延在して前記スリットバルブを全周にわたって包囲してそのスリット面全体を外界に開放する内壁を有して前記スリットから排出される内容物の飛散を防止する飛散防止壁を備えるものであることを特徴とするスリットバルブ構造体。
【請求項２】
前記飛散防止壁は、その排出口側の内壁が末広がりの形状をなすテーパ面である請求項１に記載のスリットバルブ構造体。
【請求項３】
前記飛散防止壁は、その排出口側の内壁がストレートである請求項１に記載のスリットバルブ構造体。
【請求項４】
前記スリットバルブは、前記スリットバルブ保持部材で規制されたのち、バルブ押さえで保持固定されるものである請求項１乃至３のいずれか一項に記載のスリットバルブ構造体。
【発明の詳細な説明】
【０００１】
【発明の属する技術分野】
本発明は、所定値よりも高い圧力によって開放されるスリットを有するスリットバルブと、このスリットバルブを導入する開口を有し該スリットバルブを容器本体の口部に取り付けるためのキャップ本体と、このキャップ本体にスリットバルブを保持するためのスリットバルブ保持部材とを有するスリットバルブ構造体に関するものである。
【０００２】
【従来の技術】
化粧料や洗顔料等を収納する容器には、内容物の適量吐出が可能でかつその吐出に際して良好な液切れを可能とするスリットタイプのバルブが使用されており、例えば、特公平６−５９９００号公報に開示されたものが既知である。
【０００３】
こうしたスリットバルブは、上記公報の如く、このスリットバルブを導入保持するスリットバルブ保持部材を介して容器本体の口部に取り付けられており、容器本体の胴部を加圧して内圧を高め、バルブの中央域に設けた切り込み（スリット）を瞬時に開放させることにより内容物を適量吐出することができるようになっている。
【０００４】
【発明が解決しようとする課題】
しかしながら、スリットバルブ自体には、スリットが癒着するなどして、スリットが均等に開放できないことがある。こうした場合、内容物が目標とする場所に均等に排出されること無く、予期せぬ方向に排出されるために使い難いという不都合があった。
【０００５】
本発明の解決すべき課題は、こうした事実に鑑みてなされたものであって、スリットから排出される内容物の方向を規制することにより使い易いスリットバルブ付きの容器を提供するところにある。
【０００６】
【課題を解決するための手段】
第1発明であるスリットバルブ構造体は、所定値よりも高い圧力によって開放されるスリットを有するスリットバルブと、このスリットバルブを導入する開口を有し該スリットバルブを容器本体の口部に取り付けるためのキャップ本体と、このキャップ本体にスリットバルブを保持するためのスリットバルブ保持部材とを有するスリットバルブ構造体において、スリットバルブは、スリットを全周にわたって包囲するストレートな形状の内壁を有し、キャップ本体の開口は、スリットバルブを導入したときに当該スリットバルブを全周にわたって包囲する形状であって、更に、前記キャップ本体は、その開口の端縁から当該開口の内壁に沿って延在してスリットバルブを全周にわたって包囲してそのスリット面全体を外界に開放する内壁を有してスリットから排出される内容物の飛散を防止する飛散防止壁を備えるものであることを特徴とするものである。
【０００７】
第２発明は、上記第1発明において、上記飛散防止壁は、その排出口側の内壁を末広がりの形状をなすテーパ面としてもよい。
【０００８】
第３発明は、上記第1発明において、上記飛散防止壁は、その排出口側の内壁をストレートとしてもよい。第４発明は、前記スリットバルブを、前記スリットバルブ保持部材で規制したのち、バルブ押さえで保持固定したものである。
【０００９】
【発明の実施の形態】
以下、図面を参照し、本発明であるスリットバルブ構造体を、容器本体の口部に取り付けたキャップに採用した実施形態によって詳細に説明する。
【００１０】
図１および図２はそれぞれ、本発明であるスリットバルブ構造体を採用したキャップを蓋体が閉鎖された状態および開放された状態で示す拡大断面図である。また図３（ａ），（ｂ）はそれぞれ、後述するスリットバルブ２を上方から示す平面図および、その側方から示す一部断面図である。
【００１１】
容器本体１は、図１，２に示す如く、口部１ａおよび胴部１ｂを有し、この胴部１ｂを加圧可能な合成樹脂からなるスクイーズボトルである。このスクイーズボトル１は、例えば、台所用洗剤を内容物とし、その口部１ａには、本発明であるスリットバルブ構造体を採用したキャップ１０によってスリットバルブ２が取り付けられている。
【００１２】
スリットバルブ２は、例えば、シリコンゴムや弾性を有する合成樹脂などからなり、図３に示す如く、十文字形のスリット（切り込み）Ｓが形成されたスリット面２ｓを有する。このため、スリットバルブ２は、スクイーズボトル１の内圧が大気圧と等しいときには、その弾性力によってスリットＳを閉じた状態に維持する一方、スクイーズボトル１の内圧が大気圧よりも高くなると、スリットＳを弾性力に抗して外方に開放し、スクイーズボトル１の内圧が大気圧よりも低くなると、スリットＳを弾性力に抗して内方に開放する。
【００１３】
即ち、スリットバルブ２は、スクイーズボトル１の胴部１ｂを押すと、スクイーズボトル１の内圧上昇に伴い、スリットＳを外方に開いて所定量の内容物を排出し、その後、スリットＳを閉じて内容物の排出を停止する。このとき、スクイーズボトル１の口部１ａを上向きにして胴部１ｂの押し力を弱め、スクイーズボトル１の内圧が大気圧よりも減少すると、スリットＳを内方に開いてスクイーズボトル１内に空気を導入する。
【００１４】
特にスリットバルブ２は、その内壁２ｆがストレートな形状を有するものである。この場合、スリットバルブ２の内部では、乱流が起き難くいため、内容物をスリットＳから均等に排出しやすい。
【００１５】
キャップ１０は、蓋体１１とキャップ本体１２とをヒンジＨ1を介して一体に成形したものであり、キャップ本体１２に設けた口部側保持部１３において、凹凸嵌合等の方法によって口部１ａに固定保持される。キャップ本体１２は、その中心付近にスリットバルブ２を導入する開口１４（図２参照）を有し、この開口１４には、スリットバルブ２を凹凸嵌合等の方法によって保持するスリットバルブ保持部材１５を有する。
【００１６】
このため、スリットバルブ２は、キャップ本体１２の背面側（容器口部側）から開口１４に導入されて、このスリット面２ｓがキャップ本体１２の保護面１２ｆとほぼ整列するようにスリットバルブ保持部材１５で規制されたのち、バルブ押さえ３によってスリットバルブ保持部１５に対して固定保持される。
【００１７】
またキャップ本体１２は、その開口１４の端縁から延在する壁部１６を一体または別体に備え、この壁部１６は、スリットバルブ２のスリットＳを全周にわたって包囲し、スリットＳから排出される内容物の飛散を防止する。
【００１８】
このため、スリットバルブ２を保持したキャップ１０では、スリットＳが癒着してスリットＳが均等に開放できずに内容物が予期せぬ方向に排出される場合でも、キャップ２から排出される内容物の向きは、飛散防止壁１６の内壁１６ｆで反射することよって規制されて一定の方向に向かって排出される。
【００１９】
従って、スリットバルブ２を保持したキャップ１０によれば、内容物が飛散することなく常に一定の方向に排出されるため、使い勝手の良いスリットバルブ付き容器を提供することができる。
【００２０】
なお、飛散防止壁部１６は、その内壁１６ｆが開口１４の内壁に沿って連続的につながっている。このため、飛散防止壁部１６の内壁１６ｆがスリットバルブ２の外形に接触してもスリットＳの開放動作に支障を来たしたり、スリットＳから排出される内容物の流れを妨げること無く、内容物を排出する向きを規制することができる。また飛散防止壁１６は、その内壁１６ｆがスリットバルブ２と対向する排出口側にテーパ面を有する末広がりの形状を有するものである。この内壁１６ｆに設けたテーパ面は、突起部１１ｐを案内するためのものであるが、その内径形状がテーパ面を有しないストレートのものであってもよい。
【００２１】
また本実施形態において、蓋体１１の裏面には、キャップ本体１２に対して蓋体１１を閉じたとき、図１に示す如く、飛散防止壁１６に導入されてスリット面２ｓを押圧する突起部１１ｐが形成されている。この突起部１１ｐは、スリット面２ｓを押圧することにより、スリットＳを僅かに開放してスリットＳの癒着を防止するためのものである。
【００２２】
上述したところは、本発明の好適な実施形態を示したにすぎず、当業者によれば、請求の範囲において、種々の変更を加えることができる。飛散防止壁は、スリットバルブ保持部材に形成した開口の端縁から延在する壁部に限らず、例えば、スリットバルブ２を、そのスリット面２ｓがキャップ本体１２の保護面１２ｆを超えずに埋没する位置にて保持することにより、キャップ本体１２に形成した開口１４の内壁そのものとしてもよい。またキャップ１０自体は、蓋体１１およびキャップ本体１２が別体のものや、ヒンジＨ1以外の方法で開閉自在に連結されたものであってもよい。
【００２３】
さらに、本発明に係るスリットバルブ構造体は、本実施形態の如く、キャップに採用されたものに限らず、蓋体１１を有しないキャップ本体１２単独のものであってもよい。
【００２４】
またスリットバルブ２のスリット面２ｓは、図示の如く、容器本体１の内部に向かって内向きにへこんだ形状に限らず、容器本体１の外部に向かって外向きに突出した形状であってもよい。さらにスリットバルブ２のスリットＳも、十文字形に限らず、一文字形など様々な形状を採用することができる。
【００２５】
なお、内容物も、台所用洗剤に限らず、浴室用洗剤、シャンプー、リンス、化粧品や薬品などであってもよい。
【００２６】
【発明の効果】
本発明であるスリットバルブ構造体は、所定値よりも高い圧力によって開放されるスリットを有するスリットバルブと、このスリットバルブを導入する開口を有し該スリットバルブを容器本体の口部に取り付けるためのキャップ本体と、このキャップ本体にスリットバルブを保持するためのスリットバルブ保持部材とを有するものであって、スリットバルブは、スリットを全周にわたって包囲するストレートな形状の内壁を有し、また、キャップ本体の開口は、スリットバルブを導入したときに当該スリットバルブを全周にわたって包囲する形状であって、更に、キャップ本体は、その開口の端縁から当該開口の内壁に沿って延在してスリットバルブを全周にわたって包囲してそのスリット面全体を外界に開放する内壁を有してスリットから排出される内容物の飛散を防止する飛散防止壁を備えるから、スリットが癒着するなどしてスリットが均等に開放できずに内容物が予期せぬ方向に排出される場合でも、スリットバルブ構造体から排出される内容物の向きは、飛散防止壁によって一定の方向に向かって排出される。
【００２７】
従って、本発明であるスリットバルブ構造体によれば、内容物が飛散することなく常に一定の方向に排出されるため、使い勝手の良いスリットバルブ付き容器を提供することができる。
【図面の簡単な説明】
【図１】  本発明の一実施形態であるキャップを採用した容器を閉じ状態で示した要部断面図である。
【図２】  同実施形態を採用した容器を開き状態で示した要部断面図である。
【図３】  （ａ），（ｂ）はそれぞれ、スリットバルブの一実施形態を上面から示す平面図および、その側面から示す一部断面図である。
【符号の説明】
１  容器本体（スクイーズボトル）
１ａ  口部
１ｂ  胴部
２  スリットバルブ
２ｓ  スリット面
３  バルブ押さえ
１０  キャップ
１１  蓋体
１２  キャップ本体
１３  口部側保持部
１４  開口
１５  スリットバルブ保持部
１６  飛散防止壁
Ｓ  スリット（切り込み）
Ｈ1  ヒンジ
【図１】
0004145523.tif 000002
【図２】
0004145523.tif 000003
【図３】
0004145523.tif 000004